(57)【特許請求の範囲】
【請求項１】
回線交換フォールバック(CSFB)メカニズムにおいて強化されたマルチメディア優先サービス(eMPS)を処理するための方法であって、
接続処理において、位置アップデート承認メッセージを使用することによって、ホーム加入者サーバから前記ホーム加入者サーバに格納されたユーザ装置の優先サービス情報を移動性管理エンティティ(MME)によって取得するステップと、
前記MMEによって、前記ユーザ装置のCSFBアクセス要求を受信するステップと、
前記MMEによって、前記ユーザ装置の前記取得された優先サービス情報によって、前記ユーザ装置がCSFB優先サービス権を有することを決定するステップと、
前記MMEによって、前記CSFB優先サービス権を有する前記ユーザ装置に、優先的にCSFBアクセスサービスを提供するステップと
を備える方法。
【請求項２】
前記優先サービス情報がユーザ加入データのeMPS優先情報を備える場合、前記ユーザ装置の前記取得された優先サービス情報によって、前記ユーザ装置が前記CSFB優先サービス権を有することを前記MMEによって決定する前記ステップが、
前記ユーザ装置の前記取得されたeMPS優先情報によって前記ユーザ装置の優先サービス表示を前記MMEによって決定し、前記優先サービス表示が、前記ユーザ装置がCSFB優先アクセス権を有することを示している場合、前記ユーザ装置は前記CSFB優先アクセス権を有することを前記MMEによって決定するステップを備え、または
前記優先サービス情報が優先サービス表示の場合、前記ユーザ装置の前記取得された優先サービス情報によって、前記ユーザ装置がCSFB優先サービス権を有することを前記MMEによって決定する前記ステップが、
前記ユーザ装置の前記取得された優先サービス表示が、前記ユーザ装置がCSFB優先アクセス権を有することを示す場合、前記ユーザ装置が前記CSFB優先アクセス権を有することを前記MMEによって決定するステップを備える、請求項1に記載の方法。
【請求項３】
前記ユーザ加入データの前記eMPS優先情報が、
前記ユーザ装置が優先的にアクセスされるユーザ装置かどうかを示すためのeMPSインジケータ、および/または
前記ユーザ装置の優先レベルインジケータを備える、請求項2に記載の方法。
【請求項４】
前記ユーザ装置が前記CSFB優先サービス権を有するという決定結果を前記MMEによって基地局に通知して、前記基地局が前記CSFB優先サービス権を有する前記ユーザ装置に優先的に前記CSFBアクセスサービスを提供できるようにするステップをさらに備える、請求項3に記載の方法。
【請求項５】
CSFBメカニズムにおいてeMPSを処理するための装置であって、
ユーザ装置のCSFBアクセス要求を受信するように構成された受信ユニットと、
前記ユーザ装置の優先サービス情報を取得するように構成された取得ユニットと、
前記受信ユニットが前記CSFBアクセス要求を受信した後、前記取得ユニットによって取得された前記ユーザ装置の前記優先サービス情報によって、前記ユーザ装置がCSFB優先サービス権を有することを決定するように構成された決定ユニットと、
前記決定ユニットによって決定された前記CSFB優先サービス権を有する前記ユーザ装置に、優先的にCSFBアクセスサービスを提供するように構成された優先実行ユニットと
を備え、
前記取得ユニットが、
接続処理において、位置アップデート承認メッセージを使用することによって、ホーム加入者サーバから前記ホーム加入者サーバに格納された前記ユーザ装置の前記優先サービス情報を取得するように構成された第2取得モジュール
を備える、装置。
【請求項６】
前記決定ユニットが、
前記取得ユニットによって取得された前記ユーザ装置の前記優先サービス情報がユーザ加入データのeMPS優先情報を備える場合、前記eMPS優先情報によって前記ユーザ装置の優先サービス表示を決定して、前記優先サービス表示が、前記ユーザ装置がCSFB優先アクセス権を有することを示す場合、前記ユーザ装置が回路交換ドメインに優先的にフォールバックする権利を有することを決定するように構成された権利決定モジュール、および/または
前記取得ユニットによって取得された前記ユーザ装置の前記優先サービス情報が優先サービス表示を備える場合、かつ前記優先サービス表示が、前記ユーザ装置がCSFB優先アクセス権を有することを示す場合、前記ユーザ装置が回路交換ドメインに優先的にフォールバックする権利を有することを決定するように構成された情報要素決定モジュール
を備える、請求項5に記載の装置。
【請求項７】
前記ユーザ装置が前記CSFB優先サービス権を有するという決定結果を基地局に通知して、前記基地局が前記CSFB優先サービス権を有する前記ユーザ装置に優先的に前記CSFBアクセスサービスを提供できるようにするように構成された通知ユニットをさらに備える、請求項5又は6に記載の装置。
【請求項８】
CSFBメカニズムにおいてeMPSを処理するためのシステムであって、
ユーザ装置のCSFBアクセス要求を受信して、前記ユーザ装置の取得された優先サービス情報によって前記ユーザ装置がCSFB優先サービス権を有することを決定して、前記CSFB優先サービス権を有する前記ユーザ装置に優先的にCSFBアクセスサービスを提供するように構成された移動性管理エンティティと、
第1ネットワーク管理装置であって、接続処理において、位置アップデート承認メッセージを使用することによって、前記第1ネットワーク管理装置に格納された前記ユーザ装置の前記優先サービス情報を前記移動性管理エンティティに送信するように構成された第1ネットワーク管理装置と
を備え、
前記移動性管理エンティティが、前記接続処理において、前記位置アップデート承認メッセージを使用することによって、前記第1ネットワーク管理装置から前記ユーザ装置の前記優先サービス情報を取得するようにさらに構成されている、システム。
【発明の詳細な説明】
【技術分野】
【０００１】
本発明は通信の分野に関し、より詳細には、CSFB(Circuit Switched fallback、回線交換フォールバック)メカニズムにおいて、eMPS(Enhanced Multimedia Priority Service、強化されたマルチメディア優先サービス)を処理するための方法、装置、およびシステムに関する。
【背景技術】
【０００２】
緊急事態、または緊急の出来事の処理が生じると、ネットワークリソースの輻輳が生じる場合がある。しかし、政府関係者、消防士、および警察官などの人々が、通常使用されるネットワークリソースを使用して仕事することを保証するために、これらの人々には、ネットワークが輻輳している間でもこれらの人々が依然としてネットワークにアクセスしてサービスを利用できるネットワークリソースを使用するための優先権が与えられうる。特定のユーザがネットワークにアクセスするための優先権を有するサービスは、eMPSと呼ばれる。
【０００３】
EPS(Evolved Packet System、進化型パケットシステム)は、進化型計画のガイダンスの下に定義された新しいモバイル通信ネットワークである。EPSはネットワークフレームワークを有するが、オペレータの音声サービスの多くは、元の2Gまたは3GネットワークのCS(Circuit Switched、回線交換)ドメインにおいて実行される。EPSにおいて既存のCSドメインを再利用するために、業界は、2Gまたは3GネットワークにおけるMSC(Mobile Switch Center、移動交換センター)エンティティを通じてCSドメインコアネットワークをEPSネットワークに接続し、接続を通じてCSドメインにフォールバックして、音声サービスを実行する技術を提供する。この技術はCSFBと呼ばれる。CSFBの主な実行処理は、以下を含む。
【０００４】
UE(User Equipment、ユーザ装置)がCS移動局発信(Mobile Originating、MO)サービスを開始するための準備をする場合、UEは優先的に2Gまたは3Gネットワークに切り替えて、2Gまたは3Gセルにキャンプオンするよう選択する必要があり、次いでMOサービスを開始する。MSCエンティティが、MSCエンティティとMME(Mobility Management Entity、移動性管理エンティティ)との間のSGインターフェースを通じて1つの移動局着信(MT、Mobile Terminated)サービスを受信すると、MSCエンティティはMTページングメッセージをMMEに送信して、MMEはEPSネットワークを通じてUEをページングする。MTページングメッセージを受信した後、UEはまず2Gまたは3Gネットワークに優先的に切り替えて、2Gまたは3Gセルにキャンプオンする必要があり、次いでMTサービスの後続の処理を完了する。
【発明の概要】
【発明が解決しようとする課題】
【０００５】
CSFBメカニズムにおいてeMPSが実行される必要があるときに、UEが優先アクセス権を有するかどうかネットワーク側が分からないと、ネットワーク側はeMPSサービスをUEに提供できない。
【課題を解決するための手段】
【０００６】
本発明の実施形態は、CSFBメカニズムにおいてeMPSを処理するための方法、装置、およびシステムを提供する。eMPS優先アクセス権を有するユーザ装置は、CSFBメカニズムにおいて対応する優先サービスを受けられる。
【０００７】
前述の目的を達成するために、本発明の実施形態は以下の技術的ソリューションを採用する。
【０００８】
CSFBメカニズムにおいてeMPSを処理するための方法は、
ユーザ装置のCSFBアクセス要求を受信するステップと、
ユーザ装置の取得された優先サービス情報によって、ユーザ装置がCSFB優先サービス権を有することを決定するステップと、
CSFB優先サービス権を有するユーザ装置に優先的にCSFBアクセスサービスを提供するステップとを含む。
【０００９】
CSFBメカニズムにおいてeMPSを処理するための装置は、
ユーザ装置のCSFBアクセス要求を受信するように構成された受信ユニットと、
ユーザ装置の優先サービス情報を取得するように構成された取得ユニットと、
受信ユニットがCSFBアクセス要求を受信した後、取得ユニットによって取得されたユーザ装置の優先サービス情報によって、ユーザ装置がCSFB優先サービス権を有することを決定するように構成された決定ユニットと、
決定ユニットによって決定されたCSFB優先サービス権を有するユーザ装置に優先的にCSFBアクセスサービスを提供するように構成された優先実行ユニットとを含む。
【００１０】
CSFBメカニズムにおいてeMPSを処理するためのシステムは、
ユーザ装置のCSFBアクセス要求を受信して、ユーザ装置の取得された優先サービス情報によってユーザ装置がCSFB優先サービス権を有することを決定して、CSFB優先サービス権を有するユーザ装置に優先的にCSFBアクセスサービスを提供するように構成された移動性管理エンティティを含む。
【００１１】
本発明の実施形態において提供される技術的ソリューションは、以下の有益な効果を有する。CSFBメカニズムにおいてeMPSを実現するための方法が提供され、CSFB優先アクセス権を有する特定のユーザに、2Gまたは3GネットワークにフォールバックしてCSドメインにおいて音声サービスを取得するための優先権が与えられ、それによって特定のユーザのカンバセーションエクスペリエンス(conversation experience)を保証できる。ネットワークリソースが限られているか輻輳している場合、特定のユーザは時間内に取得した権利のおかげで通常の音声カンバセーションを実行でき、それによってネットワーク側によるサービス拒否を回避して、タイムリーな救助などの重要な音声カンバセーションが実行されうることを保証する。
【００１２】
本発明の実施形態における、または従来技術における技術的ソリューションをより明確に示すために、実施形態または従来技術を記述するために必要な添付の図面を以下で簡単に紹介する。以下の記述における添付の図面は本発明の実施形態のうちのいくつかを示すにすぎず、当業者は創造的努力なしに添付の図面によって他の図面を取得できることは明らかである。
【図面の簡単な説明】
【００１３】
【図１】本発明の実施形態1における、CSFBメカニズムにおいてeMPSを処理するための方法の概略的流れ図である。
【図２】本発明の実施形態1における、接続処理のシナリオの概略図である。
【図３】本発明の実施形態1における、他の接続処理のシナリオの概略図である。
【図４】本発明の実施形態1における、MO処理のシナリオの概略図である。
【図５】本発明の実施形態2における、CSFBメカニズムにおいてeMPSを処理するための方法の概略図である。
【図６】本発明の実施形態3における、CSFBメカニズムにおいてeMPSを処理するための装置の概略的構造図である。
【図７】本発明の他の実施形態における、CSFBメカニズムにおいてeMPSを処理するための装置の概略的構造図である。
【発明を実施するための形態】
【００１４】
以下で、本発明の実施形態における添付の図面を参照して、本発明の実施形態の技術的ソリューションを明確かつ完全に記述する。記述される実施形態は本発明の全ての実施形態ではなく、むしろ本発明のいくつかの実施形態にすぎないことは明らかである。本発明の実施形態に基づいて当業者によって創造的努力なしに取得される他の全ての実施形態は、本発明の保護範囲内であるものとする。さらに、本明細書に記載の実施形態は全て本発明の任意のソリューションである。実施形態の配置順序および番号は、それらの最適な実行順序とは関係ない。
【００１５】
§実施形態1
本発明の実施形態は、CSFBメカニズムにおいてeMPSを処理するための方法を提供し、図1に示されるように、本方法は以下のステップを含む。
【００１６】
101:MMEがUEの優先サービス情報を取得する。
【００１７】
特に、図2に示されるシナリオを参照して、101は以下の方法で実装されうる。
【００１８】
UEによって実行される、ネットワークにアクセスするためのネットワーク側との接続処理において、最初の接続処理は通常従来技術における基準に従って実行される。最初の接続処理は、接続処理を開始するUEが、MME、MSCまたはVLR(Visitor Location Register、ビジターロケーションレジスタ)、およびHSS(Home Subscriber Server、ホーム加入者サーバ)にすでに知られていることを含む(MSCエンティティかVLRかはネットワーク側の開発に特に依存し、この部分は本実施形態とは無関係なので、ここではこれ以上説明しない。しかし、本実施形態における、および以下の実施形態におけるMSCエンティティは、全てVLRによって置換されうる)。すなわち、MME、MSC、およびHSSの全ては、どのUEと対話が実行されるかを知っている。本実施形態において、対話が実行されるUEはUE1として設定され、接続処理は、MMEが位置アップデート要求メッセージをMSCエンティティに送信して位置アップデートを要求するまで、たとえば、HSSがHSSに格納されたUE1のCSドメインにおけるユーザ加入データをMSCエンティティに伝送するまで、従来技術における基準に従って通常実行されるように継続する。
【００１９】
MSCエンティティが位置アップデート要求メッセージを受信した後、UE1のCSドメインにおけるユーザ加入データがチェックされて、UE1の優先サービス情報があるかどうかを調べる。本実施形態では、UE1のCSドメインにおけるユーザ加入データは優先サービス情報を含むと仮定され(CSドメインの加入情報が優先サービス情報を含まない場合、それはUE1がeMPS権を有さないことを示しているか、他の理由を示しており、このような場合UE1は共通のユーザとして処理される。このケースは本実施形態とは無関係なので、ここではこれ以上考慮または説明しない)、位置アップデート承認メッセージに優先サービス情報が追加されて、MMEに送信される。すなわち、位置アップデート承認メッセージを使用することによって、MMEはMSCエンティティからMSCエンティティに格納されたUE1の優先サービス情報を取得する。
【００２０】
本実施形態では、優先サービス情報はCSドメインにおけるユーザ加入データ内のeMPS優先情報でもよく、特定の形式は限定されない優先サービス表示でもよい。本実施形態および他の実施形態では、eMPSは、ネットワーク側がユーザ装置に優先的に提供するサービスを指し、eMPSは本明細書では限定されない他の名称で表すこともできる。
【００２１】
ユーザ加入データのeMPS優先情報は、
UE1が優先的にアクセスされるUEかどうかを示すためのeMPSインジケータであって、たとえば、eMPSインジケータが含まれる場合、それはUE1が優先的にアクセスされるUEであることが示されていることを示し、eMPSインジケータが含まれない場合、それはUE1が優先的にアクセスされるUEではないことが示されていることを示すeMPSインジケータ、および/または
UE1の優先レベルインジケータであって、たとえば、優先レベルインジケータが「1」から「N」までの範囲の場合、「1」は最も高い優先レベルを示し、「2」は2番目に高い優先レベルを示し、「2」は「1」の優先レベルよりも低く、「3」の優先レベルは「2」の優先レベルよりも低く、「N」は最も低い優先レベルを示すUE1の優先レベルインジケータを含む。
【００２２】
eMPSインジケータおよび優先レベルインジケータの表示形式は限定されない点に留意されたい。
【００２３】
優先サービス情報がeMPS優先情報を含む場合、MSCは、MSCに格納されたUE1のCSドメインにおけるユーザ加入データ内の優先サービス情報を位置アップデート承認メッセージに追加して、位置アップデート承認メッセージをMMEに送信でき、あるいは優先サービス情報がUE1の優先サービス表示を含む場合、MSCは、MSCに格納されたUE1のeMPS優先情報によってUE1がCSFB優先サービス権を有するかどうかを決定して、決定結果を優先サービス情報として優先サービス表示の形式で位置アップデート承認メッセージに追加して、位置アップデート承認メッセージをMMEに送信できる。
【００２４】
MSCエンティティが位置アップデート承認メッセージをMMEに送信した後、MMEは以下で必要な接続処理を実行するが、ここでは繰り返さない。MSCはVLRによって置換することもできる。
【００２５】
図3に示されるシナリオを参照して、101は以下の方法でも実装されうる。
【００２６】
UE1によって実行される、ネットワークにアクセスするためのネットワーク側との接続処理において、最初の接続処理は通常従来技術における基準に従って実行される。最初の接続処理は、接続処理を開始するUEが、基地局、MME、サービスゲートウェイ、パケットデータゲートウェイ、ポリシーおよび課金ルール機能、ならびにHSSにすでに知られていることを含む。すなわち、対話はUE1と実行されることがすでに知られており、UE1は基地局を通じて結合された接続要求メッセージをMMEに送信する。
【００２７】
このような場合、MMEは、位置アップデート承認メッセージを使用することによってHSSに格納されたUE1の優先サービス情報をHSSから取得でき、図3を参照すると、以下を特に含む。
【００２８】
301:結合された接続要求メッセージを受信した後、MMEは位置アップデート要求メッセージをHSSに送信し、任意で、位置アップデート要求メッセージはUE1の優先サービス情報を求める要求を含みうる。
【００２９】
302:メッセージに含まれるUE1の優先サービス情報を求める要求によって、HSSは、HSSに格納されたUE1の優先サービス情報を位置アップデート承認メッセージに追加して、位置アップデート承認メッセージをMMEに送信する。
【００３０】
あるいは、301で、位置アップデート要求メッセージ内にUE1の優先サービス情報を求める要求を含むことはイベントのトリガ条件とは見なされないが、HSSによって位置アップデート要求メッセージを受信することはイベントのトリガ条件と見なされる。このような場合、ステップ302で、位置アップデート要求メッセージが受信された後、HSSは、UE1の加入データに優先サービス情報が含まれているかどうかを調べることができる。含まれている場合、UE1の優先サービス情報が位置アップデート承認メッセージに追加されて、MMEに送信される。含まれていない場合、位置アップデート承認メッセージは優先サービス情報を含まない。
【００３１】
301でMMEによって取得された優先サービス情報は、図2に示されるシナリオにおける優先サービス情報と同じであり、設計要求によって、優先サービス情報はCSドメインにおけるユーザ加入データ内のeMPS優先情報でもよく、情報は優先サービス表示でもよい。ユーザ加入データのeMPS優先情報の詳細な内容については、上記の説明を参照されたい。
【００３２】
それに対応して、優先サービス情報がCSドメインにおけるユーザ加入データ内のeMPS優先情報を含む場合、302において、HSSは、eMPS優先情報を位置アップデート承認メッセージに優先サービス情報として直接追加して、位置アップデート承認メッセージをMMEに送信できる。優先サービス情報が優先サービス表示を含む場合、302において、HSSは、HSSに格納されたUE1のeMPS優先情報によってUE1がCSFB優先サービス権を有するかどうかを決定するよう要求され、決定結果を位置アップデート承認メッセージに優先サービス表示の形式で優先サービス情報として追加して、位置アップデート承認メッセージをMMEに送信できる。
【００３３】
継続する接続処理は通常従来技術における基準に従って実行でき、電波インターフェースおよび無線側ベアラを確立するステップと、UE1がネットワーク接続を完了するまでサービスゲートウェイにベアラアドレスをアップデートするよう通知するステップとを含む。詳細な記述はここでは繰り返さない。
【００３４】
102:MMEがUEのCSFBアクセス要求を受信する。
【００３５】
特に、CSFBアクセス要求がCSFB優先アクセス要求であること、および図4に示されるシナリオを参照して、102は以下の方法で実装されうる。UE1のMO処理において、RRC(Radio Resource Control、無線リソース制御)接続がUE1と基地局との間で確立される場合、CSFB優先アクセス要求をRRC確立要因(RRC establishment cause)メッセージに追加して、UE1がCSFB優先アクセスを要求していることを基地局に通知するステップと、基地局がMMEとのS1接続を確立する場合、CSFB優先アクセス要求を最初のUEコンテキスト(initial UE context)メッセージに追加して、UE1がCSFB優先アクセスを要求していることをMMEに通知するステップと、RRC接続とS1接続の両方が確立された場合、UE1によって、拡張サービス要求メッセージをMMEに送信して、CSFB優先アクセスを要求するステップとを含む。これらの部分は、UE1からCSFBアクセス要求を含む拡張サービス要求メッセージをMMEが受信するまで、既存の基準に従って実行されうる。
【００３６】
ステップ101およびステップ102は、実行の間に厳密な順序を有さない点に留意されたい。
【００３７】
103:MMEは、優先サービス情報によってユーザ装置がCSFB優先サービス権を有することを決定して、CSFB優先サービス権を有するユーザ装置に優先的にCSFBアクセスサービスを提供する。
【００３８】
本発明の実施形態において言及されるCSFB優先サービス権は、ユーザのCS音声ドメインにおける優先サービス権でもよく、CSFBを優先的に実行するかどうかユーザについて別々に設定されたサービス権でもよく、本発明の実施形態において特定の形式は限定されず、CSFB処理においてユーザが優先的にネットワークにアクセスできるようにする優先サービス権は全てCSFB優先サービス権と呼ばれてよい。それに対応して、ユーザのCSFB優先サービス権を表すための情報は、CSFB優先サービス情報と呼ばれてよい。
【００３９】
MMEがUE1はCSFB優先サービス権を有することを決定した後、CSFB処理において、リソースが限られている(たとえば、輻輳したネットワークによってリソースが限られている)場合、UE1がCSドメインに優先的にフォールバックして、音声サービスなどの対応するサービスを実行できるようにすることが可能である。また、リソースが限られていない場合、UE1のCSFBサービスを優先的に実行することも可能である。リソースが限られている場合、CSFB優先サービス権を有さないユーザ装置がCSドメインにフォールバックする処理を拒否することが可能である。
【００４０】
101の接続処理において、MMEはMSCまたはHSSからUE1の優先サービス情報を取得するので、MMEは、UE1によって要求されるCSFB優先サービス権を優先サービス情報によって決定できる。
【００４１】
図4に示されるシナリオを参照すると、103の実装形態は以下の通りである。
【００４２】
取得された優先サービス情報がユーザ加入データのeMPS優先情報の場合、ユーザ装置によって要求されたCSFB優先サービス権を優先サービス情報によって決定するステップは、以下を含む。
【００４３】
MMEは、eMPS優先情報によってUE1の優先サービス表示を決定し、優先サービス表示が、UE1がCSFB優先アクセス権を有することを示している場合、UE1はCSドメインに優先的にフォールバックする権利を有することを決定する。優先サービス表示が、UE1がCSFB優先アクセス権を有することを示していない場合、UE1はCSドメインに優先的にフォールバックする権利を有さないことを決定する。
【００４４】
たとえば、eMPS優先情報によって、MMEはUE1の優先サービス表示がUE1は権利を有していることを示していると決定する。すなわち、表示はUE1がCSFB優先アクセス権を有していることを示している。次いで、MMEはUE1がCSドメインに優先的にフォールバックする権利を有していると決定する。
【００４５】
取得された優先サービス情報が優先サービス表示の場合、ユーザ装置によって要求されたCSFB優先サービス権を優先サービス情報によって決定するステップは、以下を含む。
【００４６】
優先サービス表示が、UE1がCSFB優先アクセス権を有することを示している場合、MMEはUE1にCSドメインに優先的にフォールバックする権利を与える。優先サービス表示が、UE1がCSFB優先アクセス権を有することを示していない場合、MMEはUE1がCSドメインに優先的にフォールバックする権利を有さないことを決定する。
【００４７】
102は、特にCSFBアクセス要求がCSFB優先アクセス要求であるというケースを例として使用して記述されている点に留意されたい。実際には、CSFBアクセス要求はCSFB優先アクセス要求ではありえず、純粋にCSFBアクセス要求であるにすぎないが、このような場合、特定の実行方法が上述の102および103における処理と類似しており、主な違いは、102における特定の実行ではCSFB優先アクセス要求はメッセージ内に追加される必要がなく、CSFBアクセス要求はMO処理において送信されることに限定されず、CSFBアクセス要求はUE1がCSドメインにフォールバックしたいときにいつでもMMEに送信されうる。それに対応して、103における特定の実行では、やはりMO処理に限定されず、いつでもUE1のCSFBアクセス要求の受信はトリガ条件と見なされ、103におけるMMEがユーザ装置によって要求されたCSFB優先サービス権をユーザサービス情報によって決定するというステップが実行される。このステップは以下を含む。
【００４８】
UE1によって送信されたCSFBアクセス要求を受信した後、MMEはUE1が優先サービス権を有することを取得されたCSFB優先サービス情報によって決定して、それによってCSFB優先サービス権を有するユーザ装置に優先的にCSFBアクセスサービスを提供する。すなわち、リソースが限られている場合、CSFB優先サービス権を有するユーザ装置がCSドメインに優先的にフォールバックできるようにすることが可能であり、またCSFB優先サービス権を有さないユーザ装置がCSドメインにフォールバックする処理を拒否することが可能である。
【００４９】
103の後、MMEは、ユーザ装置がCSFB優先サービス権を有するという決定結果を基地局に通知する。特に、S1-AP要求メッセージを使用することによって権利結果を基地局に搬送できるので、UE1のCSFB優先アクセス権を基地局に通知できる。UE1がCSFB優先アクセス権を有すると分かった後、基地局はUE1のメッセージを優先的に処理できる。たとえば、基地局は優先的にUE1からの測定報告を要求し、UE1のハンドオーバターゲット(すなわち、2Gまたは3Gネットワークセル)を検索する。ユーザ装置がCSFB優先サービス権を有するという決定結果をMMEによって基地局に通知するステップは、S1-AP要求メッセージを使用することによって優先サービス表示を基地局に直接搬送するステップ、またはS1-AP要求メッセージを使用することによってUE1がCSドメインに優先的にフォールバックする権利を有するという決定された情報を基地局に通知して、UE1がCSドメインに優先的にフォールバックする権利を有することが基地局に分かるようにするステップ、またはS1-AP要求メッセージを使用することによってUE1がCSドメインに優先的にフォールバックする権利を有さないという決定された情報を基地局に通知するステップを含むことができる。
【００５０】
後続の実行方法は、既存の基準に従ってMO処理を完了するために継続でき、この方法は、基地局がS1-AP応答メッセージをMMEに送信して、パケット交換ドメイン(PS)切替えがサポートされる場合、パケット交換ドメインサービスは2Gまたは3Gネットワークに切り替えられた後にも実行されうることを含む。
【００５１】
本実施形態において提供される方法を使用することによって、MMEは、UEがCSドメインに優先的にフォールバックする権利を有するかどうかを、取得されたCSFB優先サービス情報によって決定でき、権利を有する場合、UEはCSドメインに優先的にフォールバックする。したがって、CSFBメカニズムにおいてeMPSサービスが実行され、CSドメインに優先的にフォールバックする権利を有する特定のユーザは対応する優先サービスを取得できるようになる。さらに、特定のユーザは、輻輳したネットワークまたは限られたリソースのために、通常時間内に権利が取得されないと音声カンバセーションを実行できず、重大な出来事の処理に遅延をもたらす場合があるという問題が回避されうる。
【００５２】
§実施形態2
図5に示されるシナリオを特に参照して、本実施形態はCSFBメカニズムにおいてeMPSサービスを処理するための方法を提供する。本実施形態における方法と実施形態1における方法との間の主な違いは、CSFB優先アクセスを要求するUEがMO処理において権利を与えられることだけが含まれていることである。
【００５３】
本方法は以下のステップを含む。
【００５４】
201:MO処理において、UEは拡張サービス要求メッセージをMMEに送信して、CSFB優先アクセスを要求する。
【００５５】
201については102の特定の実装形態を参照することができ、ここでは繰り返さない。
【００５６】
202:MMEが拡張サービス要求を受信した後、MMEは要求メッセージをMSCに送信して、UEの優先サービス情報を要求する。メッセージを受信した後、MSCは、応答メッセージを使用することによってUEの優先サービス情報をMMEに送信する。
【００５７】
特に、UEはUE1として設定される。
【００５８】
拡張サービス要求を受信した後、MMEは、eMPS通知メッセージを使用することによってMSCからUEの優先サービス情報を要求する。eMPS通知メッセージを受信した後、MSCは、MSCに格納されたUE1のCSドメインにおけるユーザ加入データを検出して、UE1の優先サービス情報があるかどうかを調べる。本実施形態では、UE1の優先サービス情報が発見されると仮定され(発見されない場合、それはUE1がeMPS権を有さないことを示しているか、他の理由を示しており、このような場合UE1は共通のユーザとして処理される。この状況は本実施形態とは無関係なので、ここではこれ以上考慮または説明しない)、eMPS通知承認メッセージに優先サービス情報が追加されて、eMPS通知承認メッセージがMMEに送信される。
【００５９】
優先サービス情報はCSドメインにおけるユーザ加入データ内のeMPS優先情報でもよく、優先サービス表示でもよい。
【００６０】
優先サービス情報がユーザ加入データ内のeMPS優先情報の場合、eMPS優先情報は、
UE1が優先的にアクセスされるUEかどうかを示すためのeMPSインジケータであって、たとえば、eMPSインジケータが含まれる場合、それはUE1が優先的にアクセスされるUEであることが示されていることを示し、eMPSインジケータが含まれない場合、それはUE1が優先的にアクセスされるUEではないことが示されていることを示すeMPSインジケータ、および/または
UE1の優先レベルインジケータであって、たとえば、優先レベルインジケータが「1」から「N」までの範囲の場合、「1」は最も高い優先レベルを示し、「2」は2番目に高い優先レベルを示し、「2」は「1」の優先レベルよりも低く、「3」の優先レベルは「2」の優先レベルよりも低く、「N」は最も低い優先レベルを示すUE1の優先レベルインジケータを含む。
【００６１】
eMPSインジケータおよび優先レベルインジケータの表示形式は限定されない。
【００６２】
本実施形態では、優先サービス情報がeMPS優先情報を含む場合、MSCは、MSCによって取得された、またはMSCに格納されたUE1のユーザ加入データ内のeMPS優先情報をeMPS通知承認メッセージに優先サービス情報として追加して、eMPS通知承認メッセージをMMEに送信でき、あるいは優先サービス情報がUE1の優先サービス表示を含む場合、MSCは、MSCに格納されたUE1のeMPS優先情報によってUE1がCSFB優先サービス権を有するかどうかを決定して、決定結果を優先サービス情報として優先サービス表示の形式で通知承認メッセージに追加して、通知承認メッセージをMMEに送信する。
【００６３】
203:MMEは、優先サービス情報によってユーザ装置がCSFB優先サービス権を有することを決定して、CSFB優先サービス権を有するユーザ装置に優先的にCSFBアクセスサービスを提供する。すなわち、リソースが限られている場合、CSFB優先サービス権を有するユーザ装置がCSドメインに優先的にフォールバックできるようにすることが可能であり、またCSFB優先サービス権を有さないユーザ装置がCSドメインにフォールバックする処理を拒否することが可能である。
【００６４】
202でMMEによって取得された優先サービス情報は、ユーザ加入データのeMPS優先情報でもよく、また優先サービス表示でもよいので、それに応じて203には2つのケースがある。
【００６５】
優先サービス情報がユーザ加入データのeMPS優先情報の場合、優先サービス情報によって、ユーザ装置によって要求されるCSFB優先サービス権を決定するステップは、
eMPS優先情報によってUE1の優先サービス表示を決定するステップと、
優先サービス表示が、UE1がCSFB優先アクセス権を有することを示している場合、UE1はCSドメインに優先的にフォールバックする権利を有することを決定し、優先サービス表示が、UE1がCSFB優先アクセス権を有することを示していない場合、UE1はCSドメインに優先的にフォールバックする権利を有さないことを決定するステップとを含む。
【００６６】
優先サービス情報が優先サービス表示の場合、優先サービス情報によって、ユーザ装置によって要求されるCSFB優先サービス権を決定するステップは、
優先サービス表示が、UE1がCSFB優先アクセス権を有することを示している場合、UE1はCSドメインに優先的にフォールバックする権利を有することを決定し、優先サービス表示が、UE1がCSFB優先アクセス権を有することを示していない場合、UE1はCSドメインに優先的にフォールバックする権利を有さないことを決定するステップを含む。
【００６７】
203の後、MMEは、ユーザ装置がCSFB優先サービス権を有するという決定結果を基地局に通知できる。特に、S1-AP要求メッセージを使用することによって権利結果を基地局に搬送でき、UE1のCSFB優先アクセス権を基地局に通知できる。UE1がCSFB優先アクセス権を有すると分かった後、基地局はUE1のメッセージを優先的に処理する。たとえば、基地局は優先的にUE1からの測定報告を要求し、UE1のハンドオーバターゲット(すなわち、2Gまたは3Gネットワークセル)を検索する。権利結果は、S1-AP要求メッセージを使用することによって優先サービス表示を搬送する基地局に通知でき、権利結果は、S1-AP要求メッセージを使用することによってUE1がCSドメインに優先的にフォールバックする権利を有するという決定された情報が基地局に通知されて、基地局によってUE1がCSドメインに優先的にフォールバックできるようにすることでもよい。あるいは、S1-AP要求メッセージを使用することによって、UE1がCSドメインに優先的にフォールバックする権利を有さないという決定された情報が基地局に通知される。
【００６８】
後続の実行方法は、既存の基準に従ってMO処理を完了するために継続でき、この方法は、基地局がS1-AP応答メッセージをMMEに送信して、パケット交換ドメイン(PS)切替えがサポートされる場合、パケット交換ドメインサービスは2Gまたは3Gネットワークに切り替えられた後にも実行されうることを含む。
【００６９】
本実施形態において提供される方法を使用することによって、MO処理において、対応する優先サービス情報がCSFB優先アクセスを要求するUEのために取得されて、UEがCSドメインに優先的にフォールバックする権利を有するかどうかを決定する処理が完了し、eMPS権を有する特定のユーザがCSFBメカニズムにおいて優先的に処理されるサービスを受けられるようになり、それによって特定のユーザの音声カンバセーションエクスペリエンスを保証して、重大な出来事の処理に遅延をもたらす場合がある、ネットワークの混雑または限られたリソースのためにネットワークが特定のユーザにサービスすることを拒否するという問題を回避する。
【００７０】
§実施形態3
本実施形態は、CSFBメカニズムにおいてeMPSを処理するための装置を提供する。図6に示されるように、装置は受信ユニット61、取得ユニット62、決定ユニット63、および優先実行ユニット65を含む。
【００７１】
受信ユニット61はUEのCSFB優先アクセス要求を受信するように構成されており、取得ユニット62はUEの優先サービス情報を取得するように構成されており、決定ユニット63は、受信ユニット61がCSFB優先アクセス要求を受信した後、取得ユニット62によって取得されたユーザ装置の優先サービス情報によってUEがCSFB優先サービス権を有することを決定するように構成されており、優先実行ユニット65は、決定ユニット63によって決定されたCSFB優先サービス権を有するユーザ装置に優先的にCSFBアクセスサービスを提供するように構成されている。
【００７２】
本発明の他の実施形態は、CSFBメカニズムにおいてeMPSを処理するための装置をさらに提供する。図7に示されるように、本実施形態では、取得ユニット62は、第1取得モジュール621および第2取得モジュール622のうちの少なくとも1つを含むことができる。
【００７３】
第1取得モジュール621は、接続処理において、位置アップデート承認メッセージを使用することによって、MSCエンティティまたはVLRから、MSCエンティティまたはVLRに格納されたUEの優先サービス情報を取得するように構成され、第2取得モジュール622は、接続処理において、位置アップデート承認メッセージを使用することによって、HSSから、HSSに格納されたUEの優先サービス情報を取得するように構成されている。
【００７４】
本発明の他の実施形態では、受信ユニット61によって受信されたCSFBアクセス要求がCSFB優先アクセス要求の場合、それに対応して、取得ユニット62は第3取得モジュール623を含む。
【００７５】
第3取得モジュール623は、移動局発信処理において、要求メッセージを使用することによってMSCエンティティまたはVLRからUEの優先サービス情報を要求して、応答メッセージを使用することによってMSCエンティティまたはVLRからMSCエンティティまたはVLRに格納されたUEの優先サービス情報を取得するように構成されている。
【００７６】
図7に示されるように、他の実施形態では、決定ユニット63は、権利決定モジュール631、および/または情報要素決定モジュール632を含む。
【００７７】
権利決定モジュール631は、取得ユニット62によって取得されたUEの優先サービス情報がユーザ加入データのeMPS優先情報を含む場合、eMPS優先情報によってUEの優先サービス表示を決定して、優先サービス表示が、UEがCSFB優先アクセス権を有することを示す場合、UEが回路交換ドメインに優先的にフォールバックする権利を有することを決定するように構成されている。
【００７８】
情報要素決定モジュール632は、取得ユニット62によって取得されたUEの優先サービス情報が優先サービス表示を含む場合、かつ優先サービス表示が、UEがCSFB優先アクセス権を有することを示す場合、UEが回路交換ドメインに優先的にフォールバックする権利を有することを決定するように構成されている。
【００７９】
加えて、任意で、他の実施形態において提供される装置に、通知ユニット64がさらに含まれる。
【００８０】
通知ユニット64は、ユーザ装置がCSFB優先サービス権を有するという決定結果を基地局に通知して、基地局がCSFB優先サービス権を有するユーザ装置に優先的にCSFBアクセスサービスを提供できるようにするように構成されている。
【００８１】
本実施形態において提供されるCSFBメカニズムにおいてeMPSを処理するための装置は、実施形態1および実施形態2におけるMMEとして使用でき、実施形態1および実施形態2におけるMMEにインストールされてもよく、そこで動作することもできる。
【００８２】
本実施形態において提供される装置は以下の有益な効果を有する。優先サービス情報が格納されるネットワーク装置から優先サービス情報が取得され、優先サービス情報によって、要求しているUEがCSドメインに優先的にフォールバックする権利を有するかどうかが決定される装置の機能を通じて、CSFB優先アクセス権を有する特定のユーザは優先権を与えられ、特定のユーザが2Gまたは3Gネットワークに優先的にフォールバックして、音声サービスを実行できるようにすることができ、それによって特定のユーザのカンバセーションエクスペリエンスを保証できる。ネットワークリソースが限られているか、ネットワークが輻輳している場合、特定のユーザは時間内に権利が取得されるので通常の音声カンバセーションを実行でき、それによってネットワーク側によってサービスが拒否されるケースを回避して、タイムリーな救助などの重要な音声カンバセーションが実行されうることを保証する。
【００８３】
§実施形態4
本実施形態は、CSFBメカニズムにおいてeMPSを処理するためのシステムを提供する。本システムは主に移動性管理エンティティを含む。
【００８４】
移動性管理エンティティは、UEのCSFBアクセス要求を受信して、UEの取得された優先サービス情報によって、UEがCSFB優先サービス権を有することを決定して、CSFB優先サービス権を有するUEに優先的にCSFBアクセスサービスを提供するように構成されている。
【００８５】
さらに、本実施形態では、本システムは第1ネットワーク管理装置をさらに含む。
【００８６】
第1ネットワーク管理装置は、接続処理において、位置アップデート承認メッセージを使用することによって、第1ネットワーク管理装置に格納されたUEの優先サービス情報を移動性管理エンティティに送信するように構成されており、それに対応して、移動性管理エンティティは、接続処理において、位置アップデート承認メッセージを使用することによって、第1ネットワーク管理装置からユーザ装置の優先サービス情報を取得するようにさらに構成されている。
【００８７】
あるいは、本システムは第2ネットワーク管理装置をさらに含む。
【００８８】
第2ネットワーク管理装置は、移動局発信処理において移動性管理エンティティからUEの優先サービス情報を取得するための要求メッセージを受信して、応答メッセージを使用することによって第2ネットワーク管理装置に格納されたUEの優先サービス情報を移動性管理エンティティに送信するように構成されている。このような場合、それに対応して、移動性管理エンティティは、移動局発信処理において要求メッセージを第2ネットワーク管理装置に送信して、UEの優先サービス情報を取得して、第2ネットワーク管理装置によって送信された応答メッセージを使用することによってUEの優先サービス情報を取得するようにさらに構成されている。
【００８９】
第1ネットワーク管理装置はHSS、MSC、またはVLRでよく、第2ネットワーク管理装置はMSCでもVLRでもよい。
【００９０】
本実施形態で提供されるシステムにおいて、移動性管理エンティティは優先サービス情報を取得して、優先サービス情報によってCSFB優先アクセスを要求するユーザについての権利を決定できる。eMPSはCSFBメカニズムに実装され、ネットワーク側がeMPS優先アクセス権を有するユーザにサービスすることを拒否することを回避できるようになり、eMPS優先アクセス権を有するユーザがCSFBメカニズムにおいて対応するサービスを受けることが保証される。
【００９１】
前述の実施形態における方法の記述を通して、当業者は、本発明は必要な一般的ハードウェアプラットフォームを結合することによってソフトウェアを通じて、またはハードウェアを通じて、実装されうることを明らかに理解できるであろう。しかし、ほとんどの場合は前者がより好ましい実装方法である。このような理解に基づいて、本発明における技術的ソリューションは本質的なものであってよく、従来技術に寄与する部分がソフトウェア製品の形式で具現化されうる。このコンピュータソフトウェア製品は、フロッピー(登録商標)ディスク、コンピュータのハードディスクおよびコンパクトディスクなどの読出し可能記憶媒体に格納され、本発明のそれぞれの前述の実施形態において提供される方法をネットワーク装置が実行するように構成された、いくつかの命令を含む。
【００９２】
結論として、上記は本発明の特定の実装方法にすぎない。しかし、本発明の範囲はこれに限定されない。当業者には容易に明らかな本発明の技術的範囲内の変更または置換は、本発明の保護範囲内である。したがって、本発明の保護範囲は添付の特許請求の範囲に依存する。
【符号の説明】
【００９３】
61  受信ユニット
62  取得ユニット
63  決定ユニット
64  通知ユニット
65  優先実行ユニット
101  MMEがUEの優先サービス情報を取得する
102  MMEがUEのCSFBアクセス要求を受信する
103  MMEは、優先サービス情報によってユーザ装置がCSFB優先サービス権を有することを決定して、CSFB優先サービス権を有するユーザ装置に優先的にCSFBアクセスサービスを提供する
201  MO処理において、UEは拡張サービス要求メッセージをMMEに送信して、CSFB優先アクセスを要求する
202  MMEが拡張サービス要求を受信した後、MMEは要求メッセージをMSCに送信して、UEの優先サービス情報を要求する
203  MMEは、優先サービス情報によってユーザ装置がCSFB優先サービス権を有することを決定して、CSFB優先サービス権を有するユーザ装置に優先的にCSFBアクセスサービスを提供する
301  結合された接続要求メッセージを受信した後、MMEは位置アップデート要求メッセージをHSSに送信し、任意で、位置アップデート要求メッセージはUE1の優先サービス情報を求める要求を含みうる
302  メッセージに含まれるUE1の優先サービス情報を求める要求によって、HSSは、HSSに格納されたUE1の優先サービス情報を位置アップデート承認メッセージに追加して、位置アップデート承認メッセージをMMEに送信する
621  第1取得モジュール
622  第2取得モジュール
623  第3取得モジュール
631  権利決定モジュール
631  情報要素決定モジュール
【図１】
0005607816.tif 000002
【図２】
0005607816.tif 000003
【図３】
0005607816.tif 000004
【図４】
0005607816.tif 000005
【図５】
0005607816.tif 000006
【図６】
0005607816.tif 000007
【図７】
0005607816.tif 000008